(57)【要約】【課題】吸収効率および吸収速度の高い身体装着用の液体吸収製品を提案すること。【解決手段】身体装着用の液体吸収製品１では、液体吸収帯３がベースシート２の表面２ａに沿って立体状に配列されており、起立状態の各液体吸収帯３の波形の山部分３ｂが倒れて身体形状に密着した状態が形成される。平面状あるいは平板状に液体吸収材料が配置されている場合に比べて面外方向に柔軟であり、身体への装着感が良く、身体の動きに対する追従性も良好であり、液漏れのおそれもない。液体吸収帯３とベースシート２の表面２ａの間に残っている隙間３ｃを通って吸収された液体が表面２ａに沿って速やかに拡散する。各液体吸収帯３はベースシート２の表面２ａに接着されている部分を除き、実質的に全周から液体を吸収可能であり、液体が各液体吸収帯３の内部の液体吸収性材料７の各部分に速やかに吸収される。【選択図】図２
2007175376.tif 000002
【特許請求の範囲】
【請求項１】
ベースシートと、複数本の液体吸収帯とを有し、
前記液体吸収帯は、通液性シートからなる筒状体と、液体吸収性材料とを備え、
前記液体吸収性材料は前記筒状体の長手方向に連続して配置され、
前記液体吸収帯は、その長手方向に沿って、前記ベースシートの表面に接着されている部分と、当該表面から浮き上がっている部分とが交互に繰り返された状態で、当該ベースシートの表面に配置されていることを特徴とする液体吸収製品。
【請求項２】
請求項１に記載の液体吸収製品において、
前記液体吸収帯は、前記ベースシートの表面に直交する方向から見た場合に、当該ベースシートの表面を実質的に覆う状態に配置されていることを特徴とする液体吸収製品。
【請求項３】
請求項２に記載の液体吸収製品において、
複数本の前記液体吸収帯は、前記ベースシートの表面に平行な方向から見た場合に、当該液体吸収帯の長手方向に沿って波状に湾曲しており、前記ベースシートの表面に直交する方向から見た場合に、相互に接する状態で平行に配列されており、
隣接している前記液体吸収帯は、それらの長手方向に沿って、それらの波形の位相がほぼ180度ずれた状態で配置されていることを特徴とする液体吸収製品。
【請求項４】
請求項１ないし３のうちのいずれかの項に記載の液体吸収製品において、
前記筒状体の太さは、円筒状断面とした場合における外径寸法が、２mm〜20mmの範囲内の値であることを特徴とする液体吸収製品。
【請求項５】
請求項４に記載の液体吸収製品において、
前記筒状体を円筒状断面とした場合に、当該筒状断面における前記液体吸収性材料の占有率が50％以下であることを特徴とする液体吸収製品。
【請求項６】
請求項１ないし５のうちのいずれかの項に記載の液体吸収製品において、
前記バックシートは不通液性のシートであることを特徴とする液体吸収製品。
【請求項７】
請求項６に記載の液体吸収製品において、
前記バックシートは通気性のシートであることを特徴とする液体吸収製品。
【請求項８】
請求項１ないし７のうちのいずれかの項に記載の液体吸収製品において、
前記バックシートの外周縁部分は、当該外周縁部分に配置されている前記液体吸収帯の側面部分から表面部分を包み込む状態で当該液体吸収帯の部分に接着されていることを特徴とする液体吸収製品。
【請求項９】
請求項１ないし８のうちのいずれかの項に記載の液体吸収製品において、
前記液体吸収材料はパルプおよびポリマを含む混合材料であることを特徴とする液体吸収製品。
【請求項１０】
請求項１ないし９のうちのいずれかの項に記載の液体吸収製品において、
前記通液性のシートは、不織布からなる単層シート、または、不織布シートを含む多層シートであることを特徴とする液体吸収製品。
【請求項１１】
請求項１ないし１０のうちのいずれかの項に記載の液体吸収製品からなることを特徴とする身体装着用の液体吸収製品。
【発明の詳細な説明】
【技術分野】
【０００１】
本発明は、使い捨ておむつや生理用品などの身体装着用の液体吸収製品、または払拭布などとして用いるのに適した液体吸収製品に関するものである。
【背景技術】
【０００２】
おむつや生理用ナプキンなどの身体装着用の液体吸収製品は、皮膚に接する側に通液性および通気性を備えた表面シートが配置され、裏面側には不通液性および通気性の裏面シートが配置され、これらの間に、平面状に吸収帯あるいは吸収層が配置された構造となっている。吸収帯には、自重の１００倍以上の液体を吸収可能な超吸収性のポリマ材料などが用いられ、嵩高さを増すことなく吸収容量を高めるようにしている。
【発明の開示】
【発明が解決しようとする課題】
【０００３】
吸収帯の液体吸収能力を高めるためには吸収材の量を多くすればよいが、吸収材の量を増やすと、平面状に配置された吸収帯が嵩張り、身体の動きに対する追従性が低下するので、装着感が悪くなる。
【０００４】
また、平面状に配置されている吸収帯においては、その表面側の吸収材により液体が吸収されやすく、その厚さ方向に速やかに移動しないので、内部に位置している吸収材の吸収能力が十分に利用されないことが多い。
【０００５】
さらには、平面状の吸収帯の一箇所に排出された液体が吸収帯の平面方向に速やかに移動しないので、液体などの排泄位置から離れた位置にある吸収材の吸収能力が充分に利用されないことが多い。
【０００６】
本発明の課題は、このような点に鑑みて、液体吸収能力を高めるために、液体吸収位置から離れている吸収材料の吸収能力を充分に利用できるようにした液体吸収製品を提案することにある。
【０００７】
また、本発明の課題は、液体吸収能力が高く、しかも、嵩高さが無く、装着感の良い身体装着用液体吸収製品を提案することにある。
【課題を解決するための手段】
【０００８】
上記の課題を解決するために、本発明の液体吸収製品は、
ベースシートと、複数本の液体吸収帯とを有し、
前記液体吸収帯は、通液性シートからなる筒状体と、液体吸収性材料とを備え、
前記液体吸収性材料は前記筒状体の長手方向に連続して配置され、
前記液体吸収帯は、その長手方向に沿って、前記ベースシートの表面に接着されている部分と、当該表面から浮き上がっている部分とが交互に繰り返された状態で、当該ベースシートの表面に配置されていることを特徴としている。
【０００９】
本発明では、吸収材料を通液性シートによって筒状に包み込むことにより、長尺状の液体吸収帯を形成し、これを、ベースシートの表面に沿って当該表面に接着した部分と浮き上がっている部分とが交互に形成されるように、立体的に配置してある。
【００１０】
液体吸収性材料を含む液体吸収帯を立体的に配列すると、一般的に使用されている平面状の吸収帯とは異なり、液体吸収帯の間、液体吸収帯とベースシートの間に、それぞれ隙間が形成され、これらの隙間を通って液体がベースシートの表面方向に速やかに拡散する。また、液体吸収帯におけるベースシートに接着されていない部分では、液体吸収帯の外周面部分の全周から液体を吸収可能である。したがって、液体吸収帯の各部分に液体が速やかに拡散し、また、液体吸収帯内の液体吸収性材料の各部分に液体が速やかに浸透する。よって、液体吸収能力の高い液体吸収製品を実現できる。
【００１１】
また、各液体吸収帯が立体的にベースシートの表面に配置されているので、平面状の吸収帯に比べて面外剛性が低い。よって、身体の動きに対する追従性が改善される。さらに、身体に装着した場合には、立体状の液体吸収帯が身体表面形状に対応する形状に変形するので、身体への密着性が良く、液漏れなどが発生しない。しかも、上記のように各部分の液体吸収材料の液体吸収能力を活用できるので、液体吸収材料の使用量を抑制でき、嵩高さの無い良好な装着感が得られる。
【００１２】
次に、本発明の液体吸収製品に用いられる前記液体吸収帯は、前記ベースシートの表面に直交する方向から見た場合に、当該ベースシートの表面を実質的に覆う状態に配置されていることを特徴としている。
【００１３】
また、複数本の前記液体吸収帯の配列形態として、前記ベースシートの表面に平行な方向から見た場合には、当該液体吸収帯の長手方向に沿って波状に湾曲しており、前記ベースシートの表面に直交する方向から見た場合には、相互に接する状態で平行に配列されており、隣接している前記液体吸収帯は、それらの長手方向に沿って、それらの波形の位相がほぼ180度ずれた状態で配置されている形態を採用することができる。
【００１４】
さらに、前記筒状体の太さを、円筒状断面とした場合における外径寸法が、２mm〜20mmの範囲内の値とすることができる。おむつ、生理用品として用いる場合には、太い方が良く、払拭布として用いる場合には払拭対象の液体に応じて太さを変更することが望ましい。勿論、異なる太さの液体吸収帯を混在させてもよい。
【００１５】
さらにまた、前記筒状体を円筒状断面とした場合に、当該円筒状断面における前記液体吸収性材料の占有率が50％以下であることが望ましい。本発明の液体吸収帯は波形などの立体形状に曲げた状態でベースシートの表面に配置されるので、曲げ易さを確保し、また、身体装着性を確保するために、筒状体の内部に液体吸収性材料を密に充填せずに、隙間ができるようにすることが望ましい。また、液体吸収材料は液体を吸収して膨張するので、膨張しやすいように隙間を充分に確保しておくことが望ましい。
【００１６】
次に、本発明の液体吸収製品に用いる前記バックシートとしては不通液性のシートが用いられる。また、おむつなどとして用いる場合には、前記バックシートは通気性のシートであることが望ましい。さらに、液体吸収製品の外周縁から液漏れが発生することの無いようにするために、前記バックシートの外周縁部分は、当該外周縁部分に配置されている前記液体吸収帯の側面部分から表面部分を包み込む状態で当該液体吸収帯の部分に接着されていることが望ましい。勿論、バックシートの外周縁部分と、当該外周縁部分に配置されている液体吸収帯の側面および表面部分を包み込む状態で、バックシートとは別の不通液性のシートを接着するようにしてもよい。
【００１７】
一方、本発明の液体吸収製品の前記液体吸収材料としてはパルプおよびポリマを含む混合材料を用いることができる。また、当該液体吸収材料を包み込んでいる前記通液性のシートとして、不織布からなる単層シート、または、不織布シートを含む多層シートを用いることができる。
【００１８】
本発明の液体吸収製品は、おむつ、生理用品などの身体装着用の液体吸収製品として用いるのに適している。
【発明の効果】
【００１９】
以上説明したように、本発明の液体吸収製品では、液体吸収性材料を通液性のシートで筒状に包み込むことにより形成した長尺状の液体吸収帯を、ベースシートの表面に立体的に配置した構成を採用している。一般的に使用されている平面状の吸収帯とは異なり、ベースシートと各液体吸収帯の間などに液体浸透用の隙間が形成され、また、各液体吸収帯におけるベースシートの表面から浮き上がっている部分は全周から液体を吸収可能である。したがって、吸収された液体が各液体吸収帯の各部分に速やかに拡散し、また、液体吸収帯内部の液体吸収性材料の各部分に速やかに浸透するので、少ない液体吸収材料を用いて高い液体吸収能力のある液体吸収製品を実現できる。
【００２０】
また、立体状に液体吸収帯が配置されているので、平面状の吸収帯に比べて面外剛性が低く、液体吸収帯が簡単に身体に密着した状態が形成される。よって、身体の動きに対する追従性が改善され、装着感が良く、しかも液漏れの起きない身体装着用液体吸収製品を実現できる。
【発明を実施するための最良の形態】
【００２１】
以下に、図面を参照して、本発明を適用した液体吸収製品を説明する。
【００２２】
図１は、本発明を適用した使い捨ておむつ、生理用ナプキンなどとして用いることのできる身体装着用の液体吸収製品の一例を示す斜視図である。図２(ａ)は図１のII−II線で切断した部分を示す縦断面図であり、図２(ｂ)はその部分拡大図である。図３は図１のIII−III線で切断した部分を示す横断面図であり、図４は液体吸収帯を示す説明図である。
【００２３】
本例の液体吸収製品１は全体として長方形の輪郭をしており、長方形のベースシート２と、このベースシート２の表面２ａに配置した複数本の液体吸収帯３と、四周縁部分に配置されている液漏れ防止シート４から構成されている。
【００２４】
液体吸収帯３は、図４に示すように、薄い通液性シート５を筒状にして形成した長尺状の筒状体６と、この筒状体６の内部に包み込まれている液体吸収性材料７とを備えた構成となっている。液体吸収材料７はパルプおよびポリマを含む混合材料からなる超吸収材料であり、例えば、シート状の超吸収材料を巻いた長尺状のものが筒状体６の長手方向に配置されている。
【００２５】
各液体吸収帯３は、ベースシート２の表面２ａに直交する方向から見た場合に、相互に両側がほぼ接する状態で平行に、ベースシート長手方向に配列されており、実質的にベースシート２の表面２ａを覆い隠している。
【００２６】
また、各液体吸収帯３は、図２から分かるように、ベースシート２の表面２ａに平行な方向に沿って当該表面の長辺方向の側(図１の矢印Ａの方向)から見た場合に、その長手方向に沿って上下に波状に繰り返し湾曲した状態とされている。各波の谷部分３ａのみがホットメルト接着剤などの接着剤によってベースシートの表面２ａに接着固定され、それ以外の部分が表面２ａから浮き上がって移動が自由な状態となっている。
【００２７】
さらに、図２から分かるように、隣接している液体吸収帯３は、それらの長手方向に沿って、それらの波形の位相がほぼ180度ずれた状態で配置されている。換言すると、一方の液体吸収帯３の谷部分３ａが他方の液体吸収帯３の山部分３ｂに対応する位置となるように形成されている。勿論、各液体吸収帯３の波の位相を、所定の角度ずつ、ベースシート２の短辺方向の一方の側から他方の側に向けて、徐々にずらすようにしてもよい。
【００２８】
このように配置した液体吸収帯３の太さは、当該液体吸収帯３を円筒状断面とした場合の外径寸法が、２mm〜20mmの範囲内の値とすることができる。おむつ、生理用品の場合には、この範囲内において太い側の寸法とする方が良い。また、液体吸収帯３の柔軟性を確保すると共に、液体吸収性材料７が液体を吸収して膨張できるようにするために、筒状体６を円筒状断面とした場合に、当該筒状断面における液体吸収性材料７の占有率が50％以下、好ましくは20％程度にしておくことが望ましい。
【００２９】
一方、液体吸収帯３が接着固定されているバックシート２は不通液性のシートであり、また、通気性を備えており、例えば、不織布からなる。
【００３０】
次に、液体吸収製品１の四周縁部分を取り囲む状態に配置されている液漏れ防止シート４も、ベースシート２と同様に、不通液性および通気性を備えたシートであり、例えば不織布からなる。また、液漏れ防止シート４は、ベースシート２の長辺方向に配置した２枚のシート片４ａと、その短辺方向に配置した２枚のシート片４ｂからなる。図２、３から分かるように、これらのシート片４ａ、４ｂは、ベースシート２の四周縁部分の裏面２ｂの側の部分から、その表面２ａの側に配置されている液体吸収帯３の側面部分および表面部分を覆う状態で、これらの部分に接着固定されている。
【００３１】
このように構成した液体吸収製品１では、複数本の液体吸収帯３がベースシート２の表面２ａに沿って立体状に配列された構成となっている。身体装着時には、図２(ｂ)に示すように、起立状態の各液体吸収帯３の波形の山部分３ｂが倒れて身体形状に密着した状態が形成される。したがって、平面状あるいは平板状に液体吸収材料が配置されている場合に比べて面外方向に柔軟であり、身体への装着感が良く、また、身体の動きに対する追従性も良好であり、液漏れのおそれもない。
【００３２】
さらに、身体に装着された状態においても、各液体吸収帯３とベースシート２の表面２ａの間には所定の隙間３ｃが残り、当該隙間３ｃを通って吸収された液体が表面２ａに沿って速やかに拡散する。また、各液体吸収帯３はベースシート２の表面２ａに接着されている部分を除き、実質的に全周から液体を吸収可能であるので、吸収された液体が各液体吸収帯３の内部の液体吸収性材料７の各部分に速やかに吸収される。したがって、平面状あるいは平板状に液体吸収性材料を配置した場合に比べて、液体の吸収速度、および吸収効率が高まる。
【００３３】
なお、本発明は、身体装着用の液体吸収製品以外の液体吸収製品としても用いることができる。例えば、払拭布などとして用いることができる。
【図面の簡単な説明】
【００３４】
【図１】本発明を適用した使い捨ておむつ、生理用ナプキンなどとして用いることのできる身体装着用の液体吸収製品の一例を示す斜視図である。
【図２】(ａ)は図１のII−II線で切断した部分を示す縦断面図であり、(ｂ)はその部分拡大図である。
【図３】図１のIII−III線で切断した部分を示す横断面図である。
【図４】液体吸収帯を示す説明図である。
【符号の説明】
【００３５】
１    液体吸収製品
２    ベースシート
２ａ  表面
２ｂ  裏面
３    液体吸収帯
３ａ  谷部分
３ｂ  山部分
３ｃ  隙間
４    液漏れ防止シート
４ａ、４ｂ  シート片
５    通液性シート
６    筒状体
７    液体吸収性材料
【図１】
2007175376.tif 000003
【図２】
2007175376.tif 000004
【図３】
2007175376.tif 000005
【図４】
2007175376.tif 000006
【手続補正書】
【提出日】平成18年1月10日(2006.1.10)
【手続補正１】
【補正対象書類名】図面
【補正対象項目名】図２
【補正方法】変更
【補正の内容】
【図２】
2007175376.tif 000007
【手続補正２】
【補正対象書類名】図面
【補正対象項目名】図３
【補正方法】変更
【補正の内容】
【図３】
2007175376.tif 000008
【手続補正３】
【補正対象書類名】図面
【補正対象項目名】図４
【補正方法】変更
【補正の内容】
【図４】
2007175376.tif 000009